(57)【要約】  スピーカ（１）と、スピーカ（１）を収容するハウジング（２）とを備えるイヤホン（１００）であって、ハウジング（２）は、第一部材（２１）と、第一部材（２１）に組み付けられる第二部材（２３）とを有し、第一部材（２１）は、スピーカ（１）を収容する内部空間（Ｈ１）と外部とを遮る筒状の第一壁部（２１１）を有し、第二部材（２３）は、内部空間（Ｈ１）と外部とを遮る筒状の第二壁部（２３２）を有し、第一壁部（２１１）及び第二壁部（２３２）の一方の端部には、溝部（２３５）が設けられており、第一壁部（２１１）及び第二壁部（２３２）の他方の端部（２１２）は、溝部（２３５）に挿入されている。
2019064731.tif 000002
【特許請求の範囲】
【請求項１】
スピーカと、前記スピーカを収容するハウジングとを備えるイヤホンであって、
前記ハウジングは、第一部材と、前記第一部材に組み付けられる第二部材とを有し、
前記第一部材は、前記スピーカを収容する内部空間と外部とを遮る筒状の第一壁部を有し、
前記第二部材は、前記内部空間と前記外部とを遮る筒状の第二壁部を有し、
前記第一壁部及び前記第二壁部の一方の端部には、溝部が設けられており、
前記第一壁部及び前記第二壁部の他方の端部は、前記溝部に挿入されている
イヤホン。
【請求項２】
前記第一部材及び前記第二部材のそれぞれには、前記スピーカに備わるフレームを挟持する当接部が設けられている
請求項１に記載のイヤホン。
【請求項３】
前記溝部と、前記他方の端部とが接着剤によって接着されている
請求項１または２に記載のイヤホン。
【請求項４】
前記溝部と、前記他方の端部との間には、第一隙間が設けられている
請求項１〜３のいずれか一項に記載のイヤホン。
【請求項５】
前記溝部と、前記他方の端部とが熱溶着されている
請求項１または２に記載のイヤホン。
【請求項６】
前記第一壁部及び前記第二壁部の一方の端部における前記溝部よりも外方の部分と、前記第一壁部及び前記第二壁部の他方の端部よりも外方の部分との間には、第二隙間が設けられている
請求項１〜５のいずれか一項に記載のイヤホン。
【請求項７】
前記他方の端部は、前記スピーカに備わるフレームの前端部よりも後方に位置している
請求項１〜６のいずれか一項に記載のイヤホン。
【請求項８】
前記他方の端部は、前記フレームの後端部よりも後方に位置している
請求項７に記載のイヤホン。
【発明の詳細な説明】
【技術分野】
【０００１】
本開示は、イヤホンに関する。
【背景技術】
【０００２】
従来、特許文献１には、複数の部材（１０１、１０３）からなるハウジング内にスピーカを収容したイヤホンが開示されている。このイヤホンでは、複数の部材が断面視において腰掛け継手状に接続されている。具体的には、部材（１０３）は筒状の壁部を有しており、この壁部の開放端部に対して部材（１０１）が嵌まる接続構造となっている。
【先行技術文献】
【特許文献】
【０００３】
【特許文献１】特許第６１３６０１６号公報
【発明の概要】
【発明が解決しようとする課題】
【０００４】
ところが、上記した接続構造であると、イヤホンに対してなんらかの外力が加わった際に、接続構造部分にテコの原理で応力が集中してしまって、複数の部材の間に隙間が生じる場合がある。この隙間は、スピーカから押し出された空気を外部へと漏らしてしまい、イヤホン自体の音響特性を大きく変化させてしまう。【０００５】
本開示の目的は、ハウジングからの空気漏れを抑制することで、音響特性の変化を低減することができるイヤホンを提供することである。
【課題を解決するための手段】
【０００６】
本開示の一態様に係るイヤホンは、スピーカと、前記スピーカを収容するハウジングとを備えるイヤホンであって、ハウジングは、第一部材と、第一部材に組み付けられる第二部材とを有し、第一部材は、スピーカを収容する内部空間と外部とを遮る筒状の第一壁部を有し、第二部材は、内部空間と外部とを遮る筒状の第二壁部を有し、第一壁部及び第二壁部の一方の端部には、溝部が設けられており、第一壁部及び第二壁部の他方の端部は、溝部に挿入されている。
【発明の効果】
【０００７】
本開示に係るイヤホンは、ハウジングからの空気漏れを抑制することで、音響特性の変化を低減することができる。
【図面の簡単な説明】
【０００８】
【図１】図１は、実施の形態に係るイヤホンを示す外観図である。
【図２】図２は、実施の形態に係るイヤホンの分解斜視図である。
【図３】図３は、図１におけるＩＩＩ−ＩＩＩ切断線を含む切断面を見たイヤホンの断面図である。
【図４】図４は、図１におけるＩＶ−ＩＶ切断線を含む切断面を見たイヤホンの断面図である。
【図５】図５は、図４における一部を拡大して示す拡大断面図である。
【図６】図６は、図４における一部を拡大して示す拡大断面図である。
【図７】図７は、変形例に係る第一部材と第二部材との接合部分を示す拡大図である。
【発明を実施するための形態】
【０００９】
本開示の一態様に係るイヤホンは、スピーカと、スピーカを収容するハウジングとを備えるイヤホンであって、ハウジングは、第一部材と、第一部材に組み付けられる第二部材とを有し、第一部材は、スピーカを収容する内部空間と外部とを遮る筒状の第一壁部を有し、第二部材は、内部空間と外部とを遮る筒状の第二壁部を有し、第一壁部及び第二壁部の一方の端部には、溝部が設けられており、第一壁部及び第二壁部の他方の端部は、溝部に挿入されている。
【００１０】
これによれば、第一部材と第二部材とを組み立てた後においては、他方の端部が溝部に挿入された状態となる。つまり、溝部の対向する一対の内面によって他方の端部が挟まれることになるため、他方の端部を強固に保持することができる。これにより、外力が作用したとしても第一部材と第二部材との間に隙間が生じにくくなり、空気漏れを抑制することができる。したがって、空気漏れを起因とした音響特性の変化を抑制することができる。
【００１１】
また、第一部材及び第二部材のそれぞれには、スピーカに備わるフレームを挟持する当接部が設けられている。
【００１２】
これによれば、第一部材及び第二部材のそれぞれの当接部がスピーカのフレームを挟持しているので、スピーカを位置決めすることができる。これにより、ハウジング内におけるスピーカの位置ズレを抑制することができ、ハウジングとスピーカとの密着性を高めることができる。したがって、スピーカの前方の密閉性を維持することができる。
【００１３】
また、溝部と、他方の端部とが接着剤によって接着されている。
【００１４】
これによれば、溝部と他方の端部とが接着剤によって接着されているので、他方の端部が溝部から外れることを確実に防止することができる。したがって、空気漏れを起因とした音響特性の変化を長期的に抑制することができる。
【００１５】
また、溝部と、他方の端部との間には、第一隙間が設けられている。
【００１６】
これによれば、溝部と他方の端部との間に第一隙間が設けられているので、スピーカの個体差による大きさの違いがあったとしても、その大きさの違いを第一隙間で吸収することができる。さらに、溝部と他方の端部とを接着剤で接着する場合には、第一隙間内に接着剤を充填することが可能である。
【００１７】
また、溝部と、他方の端部とが熱溶着されている。
【００１８】
これによれば、溝部と他方の端部とが熱溶着されているので、他方の端部が溝部から外れることを確実に防止することができる。したがって、空気漏れを起因とした音響特性の変化を長期的に抑制することができる。
【００１９】
また、第一壁部及び第二壁部の一方の端部における溝部よりも外方の部分と、第一壁部及び第二壁部の他方の端部よりも外方の部分との間には、第二隙間が設けられている。
【００２０】
これによれば、第一壁部及び第二壁部の一方の端部における溝部よりも外方の部分と、第一壁部及び第二壁部の他方の端部よりも外方の部分との間に、第二隙間が設けられているので、個体差によるスピーカの大きさの違いを第二隙間で吸収することができる。さらに、溝部と他方の端部とを接着剤で接着する場合には、漏れ出た接着剤を第二隙間で保持することができる。これにより、イヤホンの外観性を維持することができる。
【００２１】
また、他方の端部は、スピーカに備わるフレームの前端部よりも後方に位置している。
【００２２】
これによれば、他方の端部が、スピーカに備わるフレームの前端部よりも後方に位置しているので、溝部と他方の端部との間に万が一隙間が発生したとしても、スピーカ前方の密閉性を阻害しにくくすることができる。これにより、空気漏れを起因とした音響特性の変化を確実に抑制することができる。
【００２３】
また、他方の端部は、フレームの後端部よりも後方に位置している。
【００２４】
これによれば、他方の端部が、スピーカに備わるフレームの後端部よりも後方に位置しているので、溝部と他方の端部との間に万が一隙間が発生したとしても、スピーカ前方の密閉性をより阻害しにくくすることができる。これにより、空気漏れを起因とした音響特性の変化をより確実に抑制することができる。
【００２５】
以下、本開示の一態様に係るイヤホンについて、図面を参照しながら具体的に説明する。
【００２６】
なお、以下で説明する実施の形態は、いずれも本開示の一具体例を示すものである。以下の実施の形態で示される数値、形状、材料、構成要素、構成要素の配置位置及び接続形態、処理、処理の順序などは、一例であり、本開示を限定する主旨ではない。また、以下の実施の形態における構成要素のうち、最上位概念を示す独立請求項に記載されていない構成要素については、任意の構成要素として説明される。
【００２７】
（実施の形態）
図１〜図６を用いて、実施の形態のイヤホンについて説明する。
【００２８】
［１−１．構成］
図１は、実施の形態に係るイヤホンを示す外観図である。図２は、実施の形態に係るイヤホンの分解斜視図である。図３は、図１におけるＩＩＩ−ＩＩＩ切断線を含む切断面を見たイヤホンの断面図である。図４は、図１におけるＩＶ−ＩＶ切断線を含む切断面を見たイヤホンの断面図である。
【００２９】
図１〜図４に示すように、イヤホン１００は、スピーカ１と、ハウジング２と、イヤーチップ３と、ケーブル４とを備えている。イヤホン１００は、インナーイヤー型のヘッドホンである。
【００３０】
［１−２．スピーカ］
スピーカ１は、図３及び図４に示すように、振動板１０と、フレーム３０と、磁気回路５０とを備えている。スピーカ１は、さらに、ストッパ２０と、スペーサ７０と、基板８０と、防塵ネット９０とを備えている。なお、スピーカ１において、スピーカ１から音が放出される方向を前方とし、その反対方向を後方とする。
【００３１】
振動板１０は、前方から見た場合の中央付近が外周縁よりも前側に膨出した形状を有する。振動板１０は、外周縁に外周リング１１が設けられており、外周リング１１がフレーム３０に固定されることで、フレーム３０に支持されている。
【００３２】
フレーム３０は、円筒形状の部材であり、前側の端部で振動板１０を支持している。フレーム３０は、内部に、ストッパ２０、磁気回路５０を収容している。フレーム３０における後端部の外周面には、後方に向けて突出する突部３１が設けられている。また、フレーム３０は、例えば、金属、樹脂などにより構成される。基板８０及び防塵ネット９０は、前後方向において、フレーム３０の振動板１０とは反対側の端部に配置されている。
【００３３】
磁気回路５０は、例えばプレート、マグネット及びヨークからなる内磁型の磁気回路である。なお、磁気回路５０は外磁型の磁気回路であってもよい。磁気回路５０は、その中央に貫通孔を備えている。
【００３４】
ストッパ２０は、振動板１０が磁気回路５０に近づきすぎることを防ぐための部材である。ストッパ２０は、磁気回路５０よりも振動板１０側に突出しており、かつ、振動板１０の形状に沿った形状を有する。ストッパ２０は、その中央に貫通孔を有している。ストッパ２０は、例えば、金属、樹脂などにより構成される。
【００３５】
ボイスコイル４０は、金属性の線材が複数回環状（円筒形状）に巻回されることにより構成されるコイル状の部材である。ボイスコイル４０は、電気信号が入力される入力端子（図示省略）を有する。ボイスコイル４０は、振動板１０と固定されている。ボイスコイル４０は、磁気回路５０の磁気空隙内に配置されている。
【００３６】
スペーサ７０は、磁気回路５０及び基板８０とで空間を形成することで、音管を形成するための部材である。具体的には、スペーサ７０は、その中央に貫通孔を有している。また、スペーサ７０は、磁気回路５０と基板８０との間に配置されている。
【００３７】
基板８０は、ボイスコイル４０の入力端子と、外部からの電気信号を取得するための端子とを電気的に接続する回路を有する。当該回路は、外部から取得した電気信号を変換して、変換した電気信号をボイスコイル４０の入力端子に出力してもよい。基板８０は、スペーサ７０の磁気回路５０が配置される側とは反対側に配置される。基板８０は、その中央に貫通孔を有している。この基板８０の貫通孔と、スペーサ７０の貫通孔と、磁気回路５０の貫通孔と、ストッパ２０の貫通孔とが同軸上に配置されることにより、これらの貫通孔によって音管が形成されている。
【００３８】
防塵ネット９０は、基板８０の貫通孔を覆うネットである。防塵ネット９０は、基板８０のスペーサ７０が配置される側とは反対側に配置されている。
【００３９】
［１−３．ハウジング］
ハウジング２は、スピーカ１を収容する筐体である。ハウジング２において、スピーカ１を収容する空間を内部空間Ｈ１とする。ハウジング２は、ポート２１と、ボックス２３と、バックカバー２５とを備えている。ポート２１、ボックス２３及びバックカバー２５は、例えば樹脂または金属によって形成されている。
【００４０】
ポート２１は、ボックス２３とともにスピーカ１を保持する部材である。ポート２１は、本体部２１０と、取付部２２０とを備えている。
【００４１】
本体部２１０は、後方側の端部が開放された有底筒状に形成されている。具体的には、本体部２１０は、壁部２１１と、底部２１４とを備えている。
【００４２】
壁部２１１は、円筒状に形成されており、内部空間Ｈ１と外部とを遮る部位である。壁部２１１の後端部は、当該後端部よりも前側の部分よりも薄肉に形成されている。このため、壁部２１１の後端部は、当該後端部よりも前側の部分から後方に向けて突出した突起２１２である。本実施の形態では、突起２１２が壁部２１１の全周に亘って連続的に形成されている場合を例示するが、突起２１２は断続的に設けられていてもよい。また、突起２１２には、スピーカ１の突部３１に対応する位置に切欠き２１３が設けられている（図２参照）。
【００４３】
図５は、図４における矩形Ｒ１内を拡大して示す拡大断面図である。図５に示すように、壁部２１１の内部における前端部には、スピーカ１に当接する当接部２１８が設けられている。具体的には、当接部２１８は、壁部２１１の前端部から内方に向けて突出した部位である。当接部２１８の後端面は、平面となっている。当接部２１８の後端面は、スピーカ１の外周リング１１に対して前方から当接している。これにより、当接部２１８の後端面は、スピーカ１のフレーム３０の前端部に対して、外周リング１１を介して対向している。当接部２１８は、切欠き２１３に対応する部分を除いて、壁部２１１の内周面に亘って設けられている（図３参照）。また、当接部２１８にスピーカ１が当接した状態では、突起２１２の先端は、フレーム３０の後端部よりも後方に位置している。
【００４４】
図３及び図４に示すように、本体部２１０の底部２１４は、その中央に貫通孔２１５が形成されている。この貫通孔２１５は、振動板１０を介して、スピーカ１の音管をなす貫通孔（基板８０の貫通孔、スペーサ７０の貫通孔、磁気回路５０の貫通孔及びストッパ２０の貫通孔）に対向している。この底部２１４の貫通孔２１５を囲むように、取付部２２０が円筒状に形成されている。この取付部２２０は、本体部２１０から突出しており、イヤーチップ３が取り付けられる部位である。取付部２２０の先端部には、取付部２２０がなす開口を覆う防護ネット９１が取り付けられている。
【００４５】
ボックス２３は、ポート２１とともにスピーカ１を保持する部材である。具体的には、ボックス２３は、基部２３１と、基部２３１の全周を囲む筒状の壁部２３２とを備えている。
【００４６】
基部２３１は、円板状に形成されており、その中央に貫通孔２３３が形成されている。基部２３１の前面には、貫通孔２３３を覆う防護ネット９２が取り付けられている。また、貫通孔２３３の近傍には、ケーブル４が貫通する貫通孔２３４が形成されている。
【００４７】
壁部２３２は、円筒状に形成されており、内部空間Ｈ１と外部とを遮る部位である。壁部２３２は、その前端部にはポート２１が組み付けられ、後端部にはバックカバー２５が組み付けられる。
【００４８】
図６は、図４における矩形Ｒ２内を拡大して示す拡大断面図である。図６に示すように、壁部２３２の前端部には、当該壁部２３２の全周に亘って第一溝部２３５が設けられている。壁部２３２には、第一溝部２３５を基準にして、外方の前外壁２３６と、内方の前内壁２３７とが備えられている。前外壁２３６は、前内壁２３７よりも前方に突出した形状となっている。つまり、第一溝部２３５の底面を基準にすると、前外壁２３６の方が前内壁２３７よりも突出量が大きい。第一溝部２３５には、図３に示すようにスピーカ１の突部３１と、ポート２１の突起２１２が挿入されている。
【００４９】
図６に示すように、突起２１２及び突部３１は、第一溝部２３５内において、前外壁２３６と前内壁２３７とによって挟まれることになる。突起２１２の先端と、第一溝部２３５の底面との間には、第一隙間Ｓ１０が設けられている。突部３１の先端と、第一溝部２３５の底面との間にも、隙間Ｓ１１（図３参照）が設けられている。第一隙間Ｓ１０及び隙間Ｓ１１は前後方向、つまりスピーカ１の高さ方向の隙間である。
【００５０】
この第一隙間Ｓ１０及び隙間Ｓ１１内には接着剤６０が充填されており、この接着剤６０によって突起２１２及び突部３１と第一溝部２３５とが接着されている。なお、突起２１２及び突部３１と、前外壁２３６及び前内壁２３７との間にも僅かなクリアランスが設けられている。このクリアランス内にも接着剤６０が浸透するので、突起２１２及び突部３１と第一溝部２３５とをより強固に接着することができる。また、突起２１２及び突部３１と、前外壁２３６及び前内壁２３７との間にクリアランスが設けられていれば、組立時に突起２１２及び突部３１を第一溝部２３５に圧入しなくてもよい。つまり、組立後においては、圧入を起因とした応力が発生しない。この応力は、ハウジング２を変形させる一因でもある。ハウジング２の変形はスピーカ１の音響特性を変化させてしまう。しかし、応力自体が発生しないので、スピーカ１の音響特性の変化を抑制することが可能である。なお、この応力の発生を考慮しないのであれば、突起２１２及び突部３１を第一溝部２３５に圧入する構造であっても構わない。
【００５１】
前外壁２３６と、壁部２１１における突起２１２よりも外方の部分との間には、第二隙間Ｓ２０が設けられている。第二隙間Ｓ２０は前後方向、つまりスピーカ１の高さ方向の隙間である。この第二隙間Ｓ２０は、第一溝部２３５からはみ出た接着剤６０を留ませる。これにより、接着剤６０がポート２１及びボックス２３の外周面にはみ出ることを抑制できる。
【００５２】
前内壁２３７は、スピーカ１に当接する当接部である。具体的には、前内壁２３７の前端面は、平面となっており、この前端面が、スピーカ１のフレーム３０に対して後方から当接している。これにより、スピーカ１のフレーム３０は、当接部である前内壁２３７と、ポート２１の当接部２１８によって前後方向で挟持されている。
【００５３】
図３及び図４に示すように、壁部２３２の後端部には、当該壁部２３２の全周に亘って第二溝部２４５が設けられている。壁部２３２には、第二溝部２４５を基準にして、外方の後外壁２４６と、内方の後内壁２４７とが備えられている。後外壁２４６は、後内壁２４７よりも後方に突出した形状となっている。つまり、第二溝部２４５の底面を基準にすると、後外壁２４６の方が後内壁２４７よりも突出量が大きい。第二溝部２４５には、バックカバー２５が取り付けられている。
【００５４】
バックカバー２５は、ボックス２３の後方側の端部を覆う部材である。バックカバー２５は、前方側の端部が開放された有底筒状に形成されている。具体的には、バックカバー２５は、壁部２５１と、底部２５４とを備えている。
【００５５】
壁部２５１は、円筒状に形成されており、内部空間Ｈ１と外部とを遮る部位である。壁部２５１の前端部は、ボックス２３における壁部２３２の第二溝部２４５に挿入されている。壁部２５１の前端部は、第二溝部２４５内において、後外壁２４６と後内壁２４７とによって挟まれることになる。壁部２５１の前端部と、第二溝部２４５の底面との間には、第一隙間Ｓ１５が設けられている。この第一隙間Ｓ１５内には接着剤６０が充填されており、この接着剤６０によって壁部２５１の前端部と第二溝部２４５とが接着されている。なお、壁部２５１の前端部と、後外壁２４６及び後内壁２４７との間にも僅かなクリアランスが設けられている。このクリアランス内にも接着剤６０が浸透するので、壁部２５１の前端部と第二溝部２４５とをより強固に接着することができる。また、壁部２５１の前端部と、後外壁２４６及び後内壁２４７との間にクリアランスが設けられていれば、組立時に壁部２５１の前端部を第二溝部２４５に圧入しなくてもよい。つまり、組立後においては、圧入を起因とした応力が発生しない。この応力は、ハウジング２を変形させる一因でもある。ハウジング２の変形はスピーカ１の音響特性を変化させてしまう。しかし、応力自体が発生しないので、スピーカ１の音響特性の変化を抑制することが可能である。なお、この応力の発生を考慮しないのであれば、壁部２５１の前端部を第二溝部２４５に圧入する構造であっても構わない。
【００５６】
また、壁部２５１には、ケーブル４が貫通する貫通孔２５３が設けられている。貫通孔２５３は、前後方向に交差する方向で壁部２５１に対して貫通している。
【００５７】
底部２５４には、貫通孔２５３と同軸上に延びる溝２５５が形成されている。この溝２５５内にケーブル４が配置されるため、ケーブル４を安定して保持することができる。
【００５８】
［１−４．イヤーチップ］
イヤーチップ３は、ポート２１の取付部２２０に接続され、人の外耳道の内部にイヤホン１００を配置するための部材である。イヤーチップ３は、例えば樹脂から形成されている。
【００５９】
［１−５．ケーブル］
ケーブル４は、スピーカ１に対して電気信号を入力するための部材である。具体的には、ケーブル４は、バックカバー２５の貫通孔２５３及びボックス２３の貫通孔２３４を貫通した状態で、スピーカ１の基板８０に接続されている。
【００６０】
このように構成されるイヤホン１００は、ケーブル４により入力された電気信号に応じてスピーカ１により出力される音が、ポート２１及びイヤーチップ３から出力される。このため、イヤーチップ３が人の外耳道に装着されている場合、人は、イヤホン１００からの音を聞くことができる。
【００６１】
［２．効果など］
本実施の形態に係るイヤホンは、スピーカ１と、スピーカ１を収容するハウジング２とを備えるイヤホン１００であって、ハウジング２は、第一部材と、第一部材に組み付けられる第二部材とを有し、第一部材は、スピーカ１を収容する内部空間Ｈ１と外部とを遮る筒状の第一壁部を有し、第二部材は、内部空間Ｈ１と外部とを遮る筒状の第二壁部を有し、第一壁部及び第二壁部の一方の端部には、溝部が設けられており、第一壁部及び第二壁部の他方の端部は、溝部に挿入されている。
【００６２】
ここで、上記実施の形態において、第一部材をポート２１とし、第二部材をボックス２３とすると、第一壁部はポート２１の壁部２１１であり、第二壁部はボックス２３の壁部２３２である。この場合、溝部は、壁部２３２に設けられた第一溝部２３５であり、溝部に挿入された他方の端部は、壁部２１１の突起２１２である。
【００６３】
これによれば、ポート２１とボックス２３とを組み立てた後においては、突起２１２が第一溝部２３５に挿入された状態となる。つまり、第一溝部２３５の対向する一対の内面（前外壁２３６と前内壁２３７とのそれぞれの内面）によって突起２１２が挟まれることになるため、突起２１２を強固に保持することができる。これにより、外力が作用したとしてもポート２１とボックス２３との間に隙間が生じにくくなり、空気漏れを抑制することができる。したがって、空気漏れを起因とした音響特性の変化を抑制することができる。
【００６４】
一方、上記実施の形態において、第一部材をバックカバー２５とし、第二部材をボックス２３とすると、第一壁部はバックカバー２５の壁部２５１であり、第二壁部はボックス２３の壁部２３２である。この場合、溝部は、壁部２３２に設けられた第二溝部２４５であり、溝部に挿入された他方の端部は、壁部２５１の前端部である。つまり、バックカバー２５とボックス２３の接合部分においても、ポート２１とボックス２３との接合部分と同様の効果を奏することができる。以降の効果の説明においては、第一部材がポート２１であり、第二部材がボックス２３である場合について説明し、第一部材がバックカバー２５であり、第二部材がボックス２３である場合については省略する。
【００６５】
また、第一部材（ポート２１）及び第二部材（ボックス２３）のそれぞれには、スピーカ１に備わるフレーム３０を挟持する当接部（当接部２１８、前内壁２３７）が設けられている。
【００６６】
これによれば、ポート２１の当接部２１８と、ボックス２３の前内壁２３７がスピーカ１のフレーム３０を挟持しているので、スピーカ１を位置決めすることができる。これにより、ハウジング２内におけるスピーカ１の位置ズレを抑制することができ、ハウジング２とスピーカ１との密着性を高めることができる。したがって、スピーカ１の前方の密閉性を維持することができる。
【００６７】
また、溝部（第一溝部２３５）と、他方の端部（突起２１２）とが接着剤によって接着されている。
【００６８】
これによれば、第一溝部２３５と突起２１２とが接着剤６０によって接着されているので、突起２１２が第一溝部２３５から外れることを確実に防止することができる。したがって、空気漏れを起因とした音響特性の変化を長期的に抑制することができる。
【００６９】
また、溝部（第一溝部２３５）と、他方の端部（突起２１２）との間には、第一隙間Ｓ１０が設けられている。
【００７０】
これによれば、第一溝部２３５と突起２１２との間に第一隙間Ｓ１０が設けられているので、スピーカ１の個体差による大きさの違いがあったとしても、その大きさの違いを第一隙間Ｓ１０で吸収することができる。例えば、第一隙間Ｓ１０は、スピーカ１の高さ方向の隙間であるので、個体差によるスピーカ１の高さの違いを吸収することができる。さらに、第一溝部２３５と突起２１２とを接着剤６０で接着する場合には、第一隙間Ｓ１０内に接着剤を充填することが可能である。
【００７１】
また、第一壁部（壁部２１１）及び第二壁部（壁部２３２）の一方の端部における溝部（第一溝部２３５）よりも外方の部分と、第一壁部及び第二壁部の他方の端部（突起２１２）よりも外方の部分との間には、第二隙間Ｓ２０が設けられている。
【００７２】
これによれば、壁部２３２における第一溝部２３５よりも外方の前外壁２３６と、壁部２１１における突起２１２よりも外方の部分との間に、第二隙間Ｓ２０が設けられているので、個体差によるスピーカ１の大きさの違いを第二隙間Ｓ２０で吸収することができる。例えば、第二隙間Ｓ２０は、スピーカ１の高さ方向の隙間であるので、個体差によるスピーカ１の高さの違いを吸収することができる。さらに、第一溝部２３５と突起２１２とを接着剤６０で接着する場合には、漏れ出た接着剤６０を第二隙間Ｓ２０で保持することができる。これにより、イヤホン１００の外観性を維持することができる。
【００７３】
また、他方の端部（突起２１２）は、フレーム３０の後端部よりも後方に位置している。
【００７４】
これによれば、突起２１２が、スピーカ１に備わるフレーム３０の後端部よりも後方に位置しているので、第一溝部２３５と突起２１２との間に万が一隙間が発生したとしても、スピーカ１の前方の密閉性をより阻害しにくくすることができる。これにより、空気漏れを起因とした音響特性の変化をより確実に抑制することができる。
【００７５】
［３．変形例］
上記実施の形態では、第一部材と第二部材とが接着剤６０によって接合されている場合を例示した。しかしながら、第一部材と第二部材とは、接着剤以外の接合方法によって接合することも可能である。
【００７６】
図７は、変形例に係る第一部材と第二部材との接合部分を示す拡大図である。具体的には、図７は、図６に対応する図である。つまり、この変形例においては、第一部材をポートとし、第二部材をボックスとした場合について説明する。なお、以降の説明において、上記実施の形態と同等の部分については、同一の符号を付してその説明を省略する場合がある。
【００７７】
図７に示すように、ポート２１における壁部２１１の突起２１２は、第一溝部２３５内においてボックス２３の壁部２３２に対して熱溶着されている。具体的には、ポート２１をボックス２３に組み付けた後に、突起２１２及び第一溝部２３５の境界部分を例えばレーザ溶接、超音波溶接などによって熱溶着する。図７においては、網掛け部分ｈが熱溶着された部位を示している。
【００７８】
このように、第一溝部２３５と突起２１２とが熱溶着されているので、突起２１２が第一溝部２３５から外れることを確実に防止することができる。したがって、空気漏れを起因とした音響特性の変化を長期的に抑制することができる。
【００７９】
また、ボックスとポートとを機械的な接合方法で接合することも可能である。機械的な接合構造には、ネジ構造、スナップフィット構造などが挙げられる。ネジ構造の場合には、例えば、ボックスの第一溝部に対して雌ネジを形成し、ポートの突起に雄ネジを形成して、これらの雄ネジと雌ネジを締め合わせることで、ボックスとポートとを接合することができる。また、スナップフィット構造の場合には、例えば、ポートの突起に凸部を形成し、ボックスの第一溝部に対して凹部を形成して、凸部を凹部に嵌め合わせることで、ボックスとポートとを接合することができる。
【００８０】
なお、ボックス２３とバックカバー２５とを熱溶着または機械的な接合方法によって接合することも可能である。
【００８１】
［４．その他の実施の形態］
以上、本開示に係るイヤホンについて、上記実施の形態及び各変形例に基づいて説明したが、本開示は、上記の実施の形態及び各変形例に限定されるものではない。
【００８２】
例えば、上記実施の形態では、ボックス２３の壁部２３２に対して溝部（第一溝部２３５）が設けられて、ポート２１の壁部の後端部（突起２１２）が溝部に挿入される場合を例示した。しかし、ポートの壁部の後端部に溝部が設けられて、ボックスの壁部の前端部が溝部に挿入される構成であってもよい。これは、ボックスとバックカバーとの接合部分についても同様である。
【００８３】
また、上記実施の形態では、突起２１２の先端が、フレーム３０の後端部よりも後方に位置している場合を例示した。しかし、突起２１２の先端は、フレーム３０の前端部よりも後方に位置していればよい。この場合、第一溝部２３５と突起２１２との間に万が一隙間が発生したとしても、スピーカ前方の密閉性をある程度、阻害しにくくすることができる。
【００８４】
その他、実施の形態に対して当業者が思いつく各種変形を施して得られる形態や、本開示の趣旨を逸脱しない範囲で実施の形態及び各変形例における構成要素及び機能を任意に組み合わせることで実現される形態も本開示に含まれる。
【産業上の利用可能性】
【００８５】
本開示は、音響特性の変化の少ないイヤホンとして有用である。
【符号の説明】
【００８６】
１  スピーカ
２  ハウジング
３  イヤーチップ
４  ケーブル
１０  振動板
１１  外周リング
２０  ストッパ
２１  ポート（第一部材）
２３  ボックス（第二部材）
２５  バックカバー（第一部材）
３０  フレーム
３１  突部
４０  ボイスコイル
５０  磁気回路
６０  接着剤
７０  スペーサ
８０  基板
９０、９１、９２  防塵ネット
１００  イヤホン
２１０  本体部
２１１  壁部（第一壁部）
２１２  突起（他方の端部）
２１４  底部
２１５、２３３、２３４、２５３  貫通孔
２１８  当接部
２２０  取付部
２３１  基部
２３２  壁部（第二壁部）
２３５  第一溝部（溝部）
２３６  前外壁
２３７  前内壁
２４５  第二溝部（溝部）
２４６  後外壁
２４７  後内壁
２５１  壁部（第一壁部）
２５４  底部
２５５  溝
ｈ  網掛け部分（熱溶着された部位）
Ｈ１  内部空間
Ｓ１０、Ｓ１５  第一隙間
Ｓ１１  隙間
Ｓ２０  第二隙間
【図１】
2019064731.tif 000003
【図２】
2019064731.tif 000004
【図３】
2019064731.tif 000005
【図４】
2019064731.tif 000006
【図５】
2019064731.tif 000007
【図６】
2019064731.tif 000008
【図７】
2019064731.tif 000009
【国際調査報告】
2019064731.tif 000010
2019064731.tif 000011